(57)【要約】      （修正有）【課題】極めて簡単な構造で、組立て・分解が可能で設置性や取り扱い性に優れ、軽量で形状を自由自在に変更可能とするとともに、安価で生産性及び経済性に優れ且つ実用的なパーティションを提供する。【解決手段】パーティション１０は、中空状のロッド部材１００と、ロッド部材１００の端部に設けられロッド部材１００同士を着脱自在に連結する連結機構部と、ロッド部材１００同士が垂直な位置関係となるよう着脱自在に連結するジョイント機構部３００と、ジョイント機構部３００及び連結機構部にて連結されたロッド部材１００に着脱自在に設けられる不織布から成るスクリーン部４００と、ロッド部材１００の内少なくとも２本のロッド部材１００の非連結状態の端部が着脱自在に装着される設置用基台部５００とを具備する。【選択図】図１
0003228003.tif 000002
【実用新案登録請求の範囲】
【請求項１】
少なくとも５本以上の中空状のロッド部材と、
このロッド部材の端部に設けられ当該ロッド部材同士を着脱自在に連結する連結機構部と、
上記ロッド部材同士が垂直な位置関係となるよう着脱自在に連結するジョイント機構部と、
このジョイント機構部及び上記連結機構部にて連結されたロッド部材に着脱自在に設けられる不織布から成るスクリーン部と、
上記ロッド部材の内少なくとも２本のロッド部材の非連結状態の端部が着脱自在に装着される設置用基台部とを具備することを特徴とするパーティション。
【請求項２】
上記ロッド部材は、その外観が同一形状及び同一寸法であることを特徴とする請求項１記載のパーティション。
【請求項３】
上記ロッド部材は金属から成り、
上記連結機構部はこのロッド部材の端部に挿脱自在に設けられた磁性体を有するよう構成したことを特徴とする請求項１または請求項２記載のパーティション。
【考案の詳細な説明】
【技術分野】
【０００１】
本考案は、組立て及び分解が容易で飛沫感染対策に有効なパーティション、特に卓上型で何処にでも簡単に設置可能としたシンプルな構造で実用的なパーティションに関する。
【背景技術】
【０００２】
従来、飲食店のテーブル席やカウンター席、或いは金融機関や行政機関の相談対応窓口・受付対応窓口等にあっては、ウィルスや細菌等による飛沫感染防止対策として、種々の工夫がなされてきた。
【０００３】
飲食店にあっては、座席間に仕切り所謂パーティション（パーテーションとも称す）を設けたり、会計処理の際にはレジにパーティションを設ける等して、飛沫感染防止の一つとして対策を講じているものである。例えば、大型ＰＯＰ（Ｐｏｉｎｔ  Ｏｆ  Ｐｕｒｃｈａｓｅ）スタンドにビニールシートや布を取り付けたり、アクリル板を設置することにより、飛沫感染防止対策としている。
【０００４】
金融機関や行政機関の相談対応窓口・受付対応窓口等にあっても同様にパーティションを設ける等して、飛沫感染防止の一つとして対策を講じているものである。例えば正面及び両側面にアクリル板や透明ＰＥＴ（Ｐｏｌｙ  Ｅｔｈｙｌｅｎｅ  Ｔｅｒｅｐｈｔｈａｌａｔｅ）を採用したデスクパーティションを設置することにより、飛沫感染防止対策としている。
【０００５】
下記特許文献１には、幅が可変で簡単な構造で組立分解が容易な分解組立可能型パーティションが開示されている。このものは、少なくとも二つ以上の分割支柱部材に分割可能であり、分割支柱部材を連結することで支柱部材となる一対の連結支柱部材と、一対の連結支柱部材の上端部及び下端部に夫々横架され、分割可能とされてなる一対の横架フレーム部材、連結支柱部材の下端部に直交して着脱自在に設けられた台座部材と、一対の横架フレーム部材に着脱自在且つ摺動自在に掛け渡されるカーテン部材とにより構成することで、梱包サイズがコンパクトになるものである。
【０００６】
下記特許文献２には、ユーザに当たる風を抑制するとともにウィルスまたは菌等に感染するリスクをユーザの全てに対して低減可能とするパーティションが開示されている。このものは、互いに平行な第１の辺及び第２の辺を有する平板状の背面体と、第１の辺の少なくとも一部である第１の基部から背面体に略直交する方向へ延在する平板状の第１の側面体と、第２の辺の少なくとも一部である第２の基部から背面体に略直交する方向へ延在する平板状の第２の側面体とを備え、第１の側面体の先端部には第２の側面体の先端部へ向けて開口する吹出口が形成され、第２の側面体の先端部には吹出口から吹き出された空気を吸い込むように当該吹出口へ向けて開口する吸込口が形成され、更に吸込口から吹出口へ送風する送風手段を備えた構成としたものである。
【０００７】
下記特許文献３には、誰でも作業に当たることができる簡単な構造で、組立・解体作業を迅速に行うことができ、可搬性にも優れ低コストで機械的な構造の複雑さに伴う取り扱い難さや点検修理の必要性もないパーティション構造が開示されている。このものは、幕体と、幕体を巻いた状態で収容可能な長尺の筐体と、筐体の蓋とからなり、幕体は筐体とは分離していて幕及びこれに設けられた複数の支柱等からなり、筐体の内側には各支柱等を立てるための支柱支持部等が設けられており、筐体の底部には支柱支持部等に支柱等を立てて幕体を張った際の幕体の倒れを防止する脚部等が設けられた構成としている。
【０００８】
下記特許文献４には、他人の視線を遮りながら、開放感のある快適な空間を形成するための間仕切り、衝立て、或いはパーティションと呼ばれるような仕切り用スクリーン装置であって、屋外からの視線に対する目隠し、日除け、遮光等のための機能も発揮させ得る仕切り用のスクリーン装置が開示されている。このものは、屋内に於いて間隔を置いて立設可能な一対の柱状部材と、柱状部材間に架設する上下一対のスクリーン保持枠と、一対のスクリーン保持枠間に於いてスプリングにより巻取り可能で透視不能なスクリーンを備え、スクリーン保持枠の各一端には両柱状部材に上下摺動可能に外嵌し、スクリーン保持枠を任意の高さに昇降させてその位置に支持可能な支持筐体を備える構成としたものである。
【先行技術文献】
【特許文献】
【０００９】
【特許文献１】実用新案登録第３１６８１５０号公報
【特許文献２】特許第５７６３４１３号公報
【特許文献３】特開２０１６−８９３９６号公報
【特許文献４】特開２０１８−１７５３７０号公報
【考案の開示】
【考案が解決しようとする課題】
【００１０】
特許文献１に開示されたものは、幅が可変で簡単な構造で分解・組立てが可能で梱包サイズがコンパクトになり、持ち運びは可能ではある。しかし、オフィス、家庭、病院や店舗等の床面への設置を想定したものであり、飲食店のテーブル席やカウンター席の間に設置したり、金融機関や行政機関の相談対応窓口・受付対応窓口等に設置を想定したりするものではない。また、このようなケースへの転用・応用する発想・思想は見出せないものである。
【００１１】
特許文献２に開示されたものは、ウィルスまたは菌等に感染するリスクをユーザの全てに対して低減可能なパーティションではあるが、病院等の特別な施設への設置を想定したものである。しかも、大掛かりな構造で複雑な構成である。従って、飲食店のテーブル席やカウンター席の間への設置や、金融機関や行政機関の相談対応窓口・受付対応窓口等に設置を想定したものではない。また、このようなケースへの転用・応用する発想・思想は全く見出せないものである。
【００１２】
特許文献３に開示されたものは、事業所、居住空間、イベント空間或いは災害時の避難所等、主として屋内空間を一時的にまたは一定期間仕切るためのもので、比較的簡単な構造ではあるが、大掛かりなものである。従って、飛沫感染防止対策のために飲食店のテーブル席やカウンター席の間への設置や、金融機関や行政機関の相談対応窓口・受付対応窓口等に設置を想定したものではない。また、このようなケースへの転用・応用する発想・思想は全く見出せないものである。
【００１３】
特許文献４に開示されたものは、簡単な構造ではあるが、事務室や各種店舗内或いは一般住居内等に於いて他人の視線を遮ったり、日除けや遮光等のブラインド機能の効果を発揮させるためのものである。従って、飛沫感染防止対策のために飲食店のテーブル席やカウンター席の間への設置や、金融機関や行政機関の相談対応窓口・受付対応窓口等に設置を想定したものではなく、このようなケースへの転用・応用は容易ではない。また、このようなケースへの転用・応用する発想・思想は見出せないものである。
【００１４】
近時、飲食店のテーブル席やカウンター席、或いは金融機関や行政機関の相談対応窓口・受付対応窓口等にあっては、ウィルスや細菌等による飛沫感染防止の一対策として、組立て・分解が可能で設置性や取扱い性に優れるパーティションが求められている。しかし、依然としてこの要望を満たすものは提供されていないのが実情である。
【００１５】
本考案は、上記事情を考慮してなされたもので、極めて簡単な構造で、組立て・分解が可能で設置性や取り扱い性に優れるパーティションを提供することを目的とする。
【００１６】
また、本考案は、軽量で大きさや形状を自由自在に変更可能とするパーティションを提供することを目的とする。
さらに、本考案は、安価で生産性及び経済性に優れ且つ実用的なパーティションを提供することを目的とする。
【課題を解決するための手段】
【００１７】
本考案は、上記目的を達成するために以下の通りの構成とすることを特徴とする。
【００１８】
（１）  少なくとも５本以上の中空状のロッド部材と、このロッド部材の端部に設けられ当該ロッド部材同士を着脱自在に連結する連結機構部と、上記ロッド部材同士が垂直な位置関係となるよう着脱自在に連結するジョイント機構部と、このジョイント機構部及び上記連結機構部にて連結されたロッド部材に着脱自在に設けられる不織布から成るスクリーン部と、上記ロッド部材の内少なくとも２本のロッド部材の非連結状態の端部が着脱自在に装着される設置用基台部とを具備する構成としたことを特徴とする。
【００１９】
（２）  上記（１）の構成にあって、上記ロッド部材は、その外観が同一形状及び同一寸法であるよう構成したことを特徴とする。
【００２０】
（３）  上記（１）または（２）の構成にあって、上記ロッド部材は金属から成り、上記連結機構部はこのロッド部材の端部に挿脱自在に設けられた磁性体を有するよう構成したことを特徴とする。
【００２１】
上記構成によれば、極めて簡単な構造で、組立て・分解が可能で設置性や取り扱い性に優れるパーティションを提供でき、飛沫感染防止対策を講じられるものである。
【００２２】
また、上記構成によれば、軽量で大きさや形状を自由自在に変更可能としたので、設置場所を選ばず可搬性・携帯性に優れるものである。
【００２３】
さらに、上記構成によれば、安価に実現できるので、生産性及び経済性に優れるとともに、極めて実用的で有用なものである。
【考案の効果】
【００２４】
本考案によれば、極めてシンプルな構造で、誰でも容易に組立て・分解が可能としたので、設置性や取り扱い性に優れるパーティションを提供できるものである。また、軽量で大きさや形状も自由自在に変更可能としたので、種々の場面で飛沫感染防止対策を講じられるものである。
しかも、本考案は簡単な構造で実現でき、安価で生産性及び経済性に優れ且つ実用的な効果を奏するものである。
【図面の簡単な説明】
【００２５】
【図１】本考案の第１の実施形態に係わるパーティションを組立てた状態の全体の概略構成を模式的に示す図であり、（ａ）はスクリーン部を装着した状態を模式的に示す正面図であり、（ｂ）はパーティションの枠組み構成を模式的に示す正面図である。
【図２】同実施形態に係わり、パーティションを分解した状態の構成部品（ただし部品同士の縮尺関係は無視）を模式的に示す図である。
【図３】同実施形態に係わり、連結機構部を介して連結されたロッド部材の連結状態の要部を模式的に示す図である。
【図４】同実施形態に係わり、ジョイント機構部を介して連結されたロッド部材の連結状態の要部を模式的に示す図である。
【図５】本考案の第２の実施形態に係わるパーティションを組立てた状態の全体の概略構成を模式的に示す図であり、（ａ）はスクリーン部を装着した状態を模式的に示す正面図であり、（ｂ）はパーティションの枠組み構成を模式的に示す正面図である。
【図６】同実施形態に係わり、パーティションを分解した状態の構成部品（ただし部品同士の縮尺関係は無視）を模式的に示す図である。
【図７】同実施形態に係わり、連結機構部を介して連結されたロッド部材の連結状態を模式的に示す図である。
【図８】同実施形態に係わり、ジョイント機構部を介して連結されたロッド部材の連結状態を模式的に示す図である。
【図９】本考案の変形例を示すものであり、（ａ）は正面部及び両側面部の３面にスクリーン部を装着したパーティションを模式的に示す図であり、（ｂ）は正面部、両側面部及び背面部の４面にスクリーン部を装着したパーティションを模式的に示す図である。
【考案を実施するための形態】
【００２６】
以下、本考案の実施形態につき、図を参照して詳述する。
【００２７】
（第１の実施形態）
先ず、第１の実施形態について、説明する。
本実施形態に係わるパーティション１０は、１２本の円筒状のロッド部材１００と、ロッド部材１００の一端部１００ａに設けられロッド部材１００同士を着脱自在に連結可能とする連結機構部２００と、ロッド部材１００同士が垂直な位置関係となるよう着脱自在に連結可能とする２つのジョイント機構部３００と、ジョイント機構部３００及び連結機構部２００にて連結されたロッド部材１００に着脱自在に設けられる不織布から成るスクリーン部４００と、ロッド部材１００の内少なくとも２本のロッド部材１００の非連結状態の端部が着脱自在に取り付けられる２個の設置用基台部５００とから構成されている。而して、飲食店のテーブル席やカウンター席、或いは金融機関や行政機関の相談対応窓口・受付対応窓口等のウィルスや細菌等による飛沫感染防止対策として好適な卓上型のパーティション１０である。
【００２８】
ロッド部材１００は、１２本全てがその外観は同一形状、同一寸法であり、長さ（Ｌ）１５０ｍｍ、外径（Ｄ）１０ｍｍ、内径（ｄ）９ｍｍ、重さ（Ｗ）１０ｇのアルミ製の円筒状を呈するアルミパイプである。また、ロッド部材１００の端部１００ａまたは１００ｂには、内周側に連結機構部２００やジョイント機構部３００が組立て時に設けられるものである。
【００２９】
なお、ロッド部材１００の材質は、アルミに限らず他の金属や樹脂であってもよいことは勿論である。また、その形状、寸法及び重量も上記に限らず適宜変更可能なことは勿論である。例えば外径（Ｄ）９ｍｍ、内径（ｄ）７ｍｍに設定してもよく、本考案の範囲内であることは明らかである。
【００３０】
連結機構部２００は、ロッド部材１００の端部１００ａの内周部位に着脱自在に装着される磁性体であり、例えばフェライトから成る円柱状または円筒状の磁石から構成されるものである。当該磁性体はその半分が端部１００ａの内周部位に装着されており、他の半分は端部１００ａから突出するよう露呈している。そして、他の半分が他のロッド部材１００の端部１００ｂの内周部位に挿し込まれることによりロッド部材１００同士が連結されることになる。而して、ロッド部材１００を４本ずつ連結することにより、パーティション１０の枠組みを構成する縦方向（垂直支柱）２本と横方向（水平支柱）１本の長さ６０ｃｍの支柱が出来上がることになる。
【００３１】
なお、本実施形態では、磁石を着脱自在に装着するよう構成してあるが、これに限らず予め一方のロッド部材１００に接着剤等により磁石を固定して設けるよう構成してもよいことは勿論である。また、本実施形態では磁性体としてフェライトを用いたが、これに限らずネオジムやサマコバ他の磁性体であってもよいことは勿論である。
さらには、連結機構部２００は磁性体によるものではなく、ロッド部材１００の一端部に螺子部を突設し他端部に螺子受け部を形成して螺合させることにより連結させる構造としてもよく、要はロッド部材１００同士が連結状態を保持できるような構造であれば、何でもよいものである。
【００３２】
ジョイント機構部３００は、４本連結のロッド部材１００の端部１００ａまたは１００ｂの内周部位に、断面形状が円筒状または円柱状のＬ字型ジョイント金具を挿脱自在に装着することにより、ロッド部材１００同士が垂直な位置関係となるように連結させるよう機能する構成としている。ここで、ジョイント機構部３００の外径はロッド部材１００の内径ｄより僅かに小さく形成されている。また、Ｌ字型ジョイントとしては、金具が好適であり、さらにはフェライト等の磁性体を含有するものも好適ではあるが、これに限らず他の素材、例えば樹脂であってもよい。
なお、ジョイント機構部３００は、ロッド部材１００の端部１００ａまたは１００ｂの外周部位に挿脱自在に装着することにより、ロッド部材１００同士が垂直な位置関係となる連結させるよう機能構成してもよく、適宜変更可能である。
【００３３】
スクリーン部４００は、縦１２０ｃｍ、横７０ｃｍの四角形状の透明または白色系の半透明の不織布から成り、ロッド部材１００の組立て完了時、水平方向に位置する水平支柱を構成するロッド部材１００に、その中央を二つ折りにして吊るし一部をクリップ６００にてクリップ留めすることにより、着脱自在に取り付けられるものである。ここで、本実施形態に用いる不織布は、飛沫感染防止機能を有する不織布から成るマスクと同等の機能を有する素材のものである。
【００３４】
なお、白色系の半透明の不織布に限らず、他の着色されたものを用いることも可能なことは勿論である。また、その形状や大きさも適宜変更可能である。
【００３５】
設置用基台部５００は、上部５００ａが円錐台形状を呈する円柱状の金属製基台である。そして、上部５００ａの上面中央部位には、ロッド部材１００の非連結状態の端部が着脱自在に挿し込まれることにより当該ロッド部材１００が固定される設置孔部５２０が穿設されている。
【００３６】
上記構成につき、その作用を以下に述べる。
【００３７】
パーティション１０の組立ては、先ず、ロッド部材１００の端部１００ａの内周部位に装着された連結機構部２００を構成する磁石の露呈している半分を他のロッド部材１００の端部１００ｂの内周部位へ挿し込み装着する（図３参照）。そして、ロッド部材１００を４本ずつ連結することにより、縦方向（垂直支柱）２本と横方向（水平支柱）１本の長さ６０ｃｍのパーティション１０の枠組みを構成する支柱が出来上がる。
【００３８】
次に、垂直支柱及び水平支柱を構成する非連結状態のロッド部材１００の端部１００ａまたは１００ｂにジョイント機構部３００を構成するＬ字型ジョイント金具を挿し込み装着する。これにより、垂直支柱及び水平支柱を構成するロッド部材１００が垂直な位置関係となるよう連結されることになる（図４参照）。ここで、Ｌ字型ジョイント金具の挿し込みに際し、非連結状態の連結機構部２００が障害となる場合、当該連結機構部２００を引き抜くものとする。
【００３９】
続いて、垂直支柱を構成するロッド部材１００の非連結状態の端部１００ａまたは１００ｂを設置孔部５２０に着脱自在に挿し込み固定する。すると、高さが６０ｃｍ超、横幅が６０ｃｍ超のパーティション１０の枠組みが出来上がることになる。
【００４０】
而して、水平支柱を構成するロッド部材１００に、スクリーン部４００を縦長方向の中央部位にて二つ折りにしてスクリーン部４００を吊るす。そして、クリップ６００にてロッド部材１００にクリップ留めすれば、パーティション１０の完成となる。
【００４１】
斯様にして組立てられたパーティション１０は、飲食店のテーブル席やカウンター席の間に設置すれば、或いは金融機関や行政機関の相談対応窓口・受付対応窓口等に設置すれば、飛沫感染の防止、リスク低減を図れるものである。
【００４２】
スクリーン部４００の汚れが目立つようであれば、或いは常に高い衛生環境を保持するのであれば、適宜或いは定期的にスクリーン部４００を新たなものに交換すればよいものである。
【００４３】
また、組立てられたパーティション１０の移動・運搬に際しては、軽量であるので、そのままの状態での移動・運搬が可能である。
【００４４】
パーティション１０が不要なった場合、或いは多数のパーティションを他へ移動・運搬する場合は、組立てとは逆の手順にて分解すれば、容易に収納、移動・運搬が可能となるものである。
【００４５】
上記実施形態によれば、極めて簡単な構造で、組立て・分解が可能で設置性や取り扱い性に優れた飛沫感染防止対策を講じられるものである。また、設置場所を選ばず携帯性・収納性にも優れるとともに安価に実現できるので、極めて実用的で有用なもので、生産性及び経済性に優れるものである。
【００４６】
（第２の実施形態）
次に、本考案の第２の実施形態について、説明する。第１の実施形態と同一部分、同一機能については、同一符号を付して一部説明を省略して説明する。
【００４７】
本実施形態に係わるパーティション２０は、必要最小限の部品点数から構成されるもので、５本の中空状のロッド部材１００と、ロッド部材１００の端部１００ａ，１００ｂに設けられロッド部材１００同士を着脱自在に連結可能とする２つの連結機構部２２０と、ロッド部材１００同士が垂直な位置関係となるよう着脱自在に連結可能とする２つのジョイント機構部３００と、ジョイント機構部３００及び連結機構部２２０にて連結されたロッド部材１００に着脱自在に設けられる不織布から成るスクリーン部４２０と、ロッド部材１００の内非連結状態の端部が着脱自在に取り付けられる２個の設置用基台部５００とから構成されている。而して、ウィルスや細菌等による飛沫感染防止対策として好適な卓上型のコンパクトなパーティション２０である。
【００４８】
ロッド部材１００は、５本全てがその外観は同一形状、同一寸法であり、長さ（Ｌ）１５０ｍｍ、外径（Ｄ）１０ｍｍ、内径（ｄ）９ｍｍ、重さ（Ｗ）１０ｇのアルミ製の円筒状を呈するアルミパイプである。また、ロッド部材１００の端部１００ａ，１００ｂには、内周側に連結機構部２２０やジョイント機構部３００が組立て時に適宜設けられるものである。
【００４９】
なお、ロッド部材１００の材質は、アルミに限らず他の金属や樹脂であってもよいことは勿論である。また、その形状、寸法及び重量も上記に限らず適宜変更可能なことは勿論である。
【００５０】
連結機構部２２０は、連結される２本のロッド部材１００の端部１００ａまたは１００ｂの内周部位に着脱自在に装着される磁性体、例えばフェライトから成る円柱状または円筒状の磁石から構成されるものである。即ち、中空状のロッド部材１００の内周部位に着脱自在に装着される磁石を介してロッド部材１００同士が連結されることになる。
【００５１】
なお、本実施形態では、磁石を着脱自在に装着するよう構成してあるが、これに限らず予め一方のロッド部材１００に接着剤等により磁石を固定して設けるよう構成してもよいことは勿論である。
また、本実施形態では磁性体としてフェライトを用いたが、これに限らずネオジムやサマコバ他の磁性体であってもよいことは勿論である。
さらには、連結機構部２２０は磁性体によるものではなく、第１の実施形態にて前述した螺子構造としてもよく、適宜変更可能である。即ち、ロッド部材１００同士が連結状態を保持できるような構成であれば何でもよいものである。
【００５２】
ジョイント機構部３００は、磁石が装着されてない３本のロッド部材１００の端部１００ａまたは１００ｂの内周部位に、断面形状が円柱状または円筒状のＬ字型ジョイント金具を挿脱自在に装着することにより、ロッド部材１００同士が垂直な位置関係となる連結させるよう機能する構成としている。ここで、Ｌ字型ジョイントとしては、金具が好適であり、さらにはフェライト等の磁性体を含有するものも好適ではあるが、これに限らず他の材質、例えば樹脂であってもよいことは勿論である。
【００５３】
スクリーン部４２０は、縦６０ｃｍ、横２０ｃｍの長方形状の透明または白色系の半透明の不織布から成り、ロッド部材１００の組立て完了時、水平方向に位置するロッド部材１００にその中央を二つ折りにして吊るし一部をクリップ６００にてクリップ留めすることにより、着脱自在に取り付けられるものである。ここで、本実施形態に用いる不織布は、飛沫感染防止機能を有する不織布から成るマスクと同等の素材のものである
【００５４】
なお、白色系の半透明の不織布に限らず、他の着色されたものを用いることも可能なことは勿論である。また、その形状や大きさも適宜変更可能である。
【００５５】
設置用基台部５００は、上部５００ａが円錐台形状を呈する円柱状の金属製基台である。そして、上部５００ａの上面中央部位には、ロッド部材１００の非連結状態の端部が着脱自在に挿し込まれることにより当該ロッド部材が固定される設置孔部５２０が穿設されている。
【００５６】
上記構成につき、その作用を以下に述べる。
【００５７】
パーティション２０の組立ては、先ず、２本のロッド部材１００の端部１００ａの内周部位に連結機構部２２０を構成する磁石を半分程挿し込み装着する。この後、他の２本のロッド部材１００の端部１００ｂの内周部位に、半分程露出している磁石の他の半分を挿し込み装着する。これにより、ロッド部材１００が連結され長さ３０ｃｍの垂直支柱となる。
【００５８】
次に、連結されたロッド部材１００の内、磁石が装着されてない２本のロッド部材１００の端部１００ａまたは１００ｂの内周部位にジョイント機構部３００を構成するＬ字型ジョイント金具の一部を挿し込み装着する。この後、磁石が装着されてない１本のロッド部材１００の端部１００ａまたは１００ｂの内周部位に、Ｌ字型ジョイント金具の他部を挿し込み装着する。これにより、ロッド部材が垂直な位置関係となるよう連結されることになる。
【００５９】
続いて、ロッド部材１００の非連結状態の端部１００ｂを設置孔部５２０に着脱自在に挿し込み固定する。すると、高さが３０ｃｍ超、横幅が１５ｃｍ超のパーティション２０の枠組みが出来上がることになる。
【００６０】
而して、水平支柱を構成する水平方向に位置するロッド部材１００に、スクリーン部４２０を縦長方向の中央部位で二つ折りにして吊るす。そして、クリップ６００にてロッド部材１００にクリップ留めすれば、パーティション２０の完成となる。
【００６１】
斯様にして組立てられたパーティション２０は、面談等の際に卓上設置すれば、飛沫感染の防止、リスク低減を図れるものである。
【００６２】
スクリーン部４２０の汚れが目立つようであれば、或いは常に高い衛生環境を保持するのであれば、適宜或いは定期的にスクリーン部４２０を新たなものに交換すればよいものである。
【００６３】
また、組立てられたパーティション２０の移動・運搬に際しては、超軽量・コンパクトであるので、そのままの状態での移動・運搬が可能である。
【００６４】
パーティション２０が不要なった場合、或いは多数のパーティションを他へ移動・運搬する場合は、組立てとは逆の手順にて分解すれば、容易に収納、移動・運搬が可能となるものである。
【００６５】
上記実施形態によれば、極めて簡単な構造で、組立て・分解が可能で設置性や取り扱い性に優れた飛沫感染防止対策を講じられるものである。また、設置場所を選ばず携帯性・収納性にも優れるとともに安価に実現できるので、極めて実用的で有用なもので、生産性及び経済性に優れるものである。
【００６６】
また、飲食店のテーブル席やカウンター席、或いは金融機関や行政機関の相談対応窓口・受付対応窓口等のウィルスや細菌等による飛沫感染防止対策としてのコンパクトな卓上型パーティションとして用いられるだけではなく、介護・福祉現場や保育現場にも好適なものである。
【００６７】
なお、本考案は上記実施形態に限定されることなく、その趣旨を逸脱しない限り種々の変形が可能なことは勿論である。
【００６８】
例えば、上記実施形態の変形例としてジョイント機構部として３方面タイプ、Ｙ字タイプのものを図９（ａ）中、Ｙ１，Ｙ２，Ｙ３，Ｙ４の位置に用いれば、正面部及び両側面部にスクリーン部を備えたパーティションの枠組みを組立てられるので、正面部及び両側面部の３面にスクリーン部４４０を備えたパーティションを提供可能である（図９の（ａ）参照）。また、図９（ｂ）中、Ｙ１，Ｙ２，Ｙ３，Ｙ４，Ｙ５，Ｙ６，Ｙ７，Ｙ８の位置に用いれば、正面部、両側面部及び背面部にスクリーン部を備えたパーティションの枠組みを組立てられることも可能なので、正面部、両側面部及び背面部の４面にスクリーン部４６０を備えたパーティションの提供も可能である（図９の（ｂ）参照）。即ち、ジョイント機構部の形状を適宜変更すれば、形状を自由自在に変更可能となるものである。
【産業上の利用可能性】
【００６９】
本考案のパーティションによれば、簡単な構造で誰でも容易に組立・分解作業を迅速に行うことができ、しかもコンパクトで軽量なので可搬性にも優れ、また低コストでもあり、実用的に取り扱い易く極めて便利なものである。従って、飲食店のテーブル席やカウンター席或いは金融機関や行政機関の相談対応窓口・受付対応窓口等に限らず、教育現場他種々の分野に於いて産業上利用性が高い考案である。
【符号の説明】
【００７０】
１０，２０          …パーティション
１００              …ロッド部材
１００ａ，１００ｂ  …端部
２００，２２０      …連結機構部
３００              …ジョイント機構部
４００，４２０，４４０，４６０  …スクリーン部
５００              …設置用基台部
６００              …クリップ
【図１】
0003228003.tif 000003
【図２】
0003228003.tif 000004
【図３】
0003228003.tif 000005
【図４】
0003228003.tif 000006
【図５】
0003228003.tif 000007
【図６】
0003228003.tif 000008
【図７】
0003228003.tif 000009
【図８】
0003228003.tif 000010
【図９】
0003228003.tif 000011